(57)【要約】      （修正有）【課題】堅牢で簡易な構成であると共にケーブルの保持が容易なケーブルサポートを提供する。【解決手段】ケーブルサポート１は、帯状の金属板３を螺旋状に略一周分折曲げて略四角筒形状に形成してあり、略四角筒の一側面を成す基部５と、基部５に対向する対向部７と、基部５の一端側で対向部７に連続する一端側部９と、基部５の他端側で対向部７側に突出してする一方の突出部１１と、対向部７の他端側で基部５側に突出する他方の突出部１３とを備え、一方の突出部１１と他方の突出部１３は間隔Ｐをあけて隣り合って位置し、基部５には固定具１５を挿通する挿通孔１７が形成してあり、対向部７には締結部材８を挿通する長孔１９が形成してある。【選択図】図１
0003188054.tif 000002
【実用新案登録請求の範囲】
【請求項１】
帯状の金属板を螺旋状に略一周分折曲げて略四角筒形状に形成してあり、
前記略四角筒の一側面を成す基部と、基部に対向する対向部と、基部の一端側で対向部に連続する一端側部と、基部の他端側で対向部側に突出する一方の突出部と、対向部の他端側で基部側に突出する他方の突出部とを備え、
前記一方の突出部と前記他方の突出部は間隔をあけて隣り合って位置しており、
前記基部、前記対向部及び前記一端側部には、何れか一つに固定具を挿通する挿通孔が形成してあり、他の何れかにケーブルを固定する締結部材を挿通する周方向の長孔が形成してあることを特徴とするケーブルサポート。
【請求項２】
前記固定具の挿通孔は前記基部に形成してあり、前記長孔は前記対向部に形成してあることを特徴とする請求項１に記載のケーブルサポート。
【請求項３】
前記固定具の挿通孔は前記基部に形成してあり、前記長孔は前記一端側部に形成してあることを特徴とする請求項１に記載のケーブルサポート。
【考案の詳細な説明】
【技術分野】
【０００１】
本考案は、電線や光ファイバー等のケーブルをトンネルの壁や躯体等に支持するケーブル支持具であるケーブルサポートに関する。
【背景技術】
【０００２】
従来、電線、ファイバー等のケーブルをトンネル側壁面等に設置するケーブルサポートは、側壁面等にボルトで固定された金具によりケーブルを挟持してケーブルを保持するように構成されている。このようなケーブルサポートに関して、特許文献１〜３等に種々の工夫が提案されている
【先行技術文献】
【特許文献】
【０００３】
【特許文献１】実用新案登録第３０８８７０２号公報
【特許文献２】特開昭５８−１６２７３０号公報
【特許文献３】特開平１−１３８９２４号公報
【考案の概要】
【考案が解決しようとする課題】
【０００４】
ところでトンネル等の側壁面にケーブルを架設する場合に、ケーブルを容易に保持でき、堅牢で簡易な構成のケーブルサポートが望まれている。また種々のケーブルに柔軟に対応し、さらにはケーブルの増設等にも柔軟に対応することが求められる。
【０００５】
そこで、本考案は、堅牢で簡易な構成であると共にケーブルを容易に保持でき、さらにはケーブルの増設等にも柔軟に対応することができるケーブルサポートを提供することを目的とする。
【課題を解決するための手段】
【０００６】
請求項１に記載の考案は、
帯状の金属板を螺旋状に略一周分折曲げて略四角筒形状に形成してあり、
前記略四角筒の一側面を成す基部と、基部に対向する対向部と、基部の一端側で対向部に連続する一端側部と、基部の他端側で対向部側に突出する一方の突出部と、対向部の他端側で基部側に突出する他方の突出部とを備え、
前記一方の突出部と前記他方の突出部は間隔をあけて隣り合って位置しており、
前記基部、前記対向部及び前記一端側部には、何れか一つに固定具を挿通する挿通孔が形成してあり、他の何れかにケーブルを固定する締結部材を挿通する周方向の長孔が形成してあることを特徴とするケーブルサポートである。
【０００７】
請求項２に記載の考案は、請求項１に記載の考案において、前記固定具の挿通孔は前記基部に形成してあり、前記長孔は前記対向部に形成してあることを特徴とする。
【０００８】
請求項３に記載の考案は、請求項１に記載の考案において、前記固定具の挿通孔は前記基部に形成してあり、前記長孔は前記一端側部に形成してあることを特徴とする。
【考案の効果】
【０００９】
請求項１に記載の考案によれば、帯状の金属板を螺旋状に略四周分折り曲げて形成してあるので、堅牢で構成が簡易である。
一方の突出部と他方の突出部は間隔をあけて隣り合って位置しているので、一方の突出部と他方の突出部との間から、容易にケーブルを略四角形筒内に挿入できる。
四角筒内に挿入したケーブルは締結部材を長孔に挿通して固定することができるので、この固定によりケーブルが四角筒内で振れたり、揺動するのを防止できる。
締結部材を挿通する孔を長孔としているので、長孔の任意の位置でケーブルを締結できるから、作業性が良く、さらにはケーブルの増設等にも柔軟に対応することができる。
【００１０】
請求項２に記載の考案によれば、請求項１に記載の効果を奏することができると共に、固定具の挿通孔が形成してある基部を上側にして天面壁に取付けた場合には、下側となる対向部にケーブルを載置してケーブルを締結できるから、天面壁に沿わせてケーブルを配置することができる。
【００１１】
請求項３に記載の考案によれば、請求項１に記載の効果を奏することができると共に、固定具の挿通孔が形成してある基部を側面壁に取付けた場合には、下側となる一端側部にケーブルを載置してケーブルを締結できるから、側壁面に沿ってケーブルを配置することができる。
【図面の簡単な説明】
【００１２】
【図１】第１実施形態にかかるケーブルサポートの斜視図である。
【図２】図１に示すケーブルサポートの図であり、（ａ）は正面図、（ｂ）は平面図、（ｃ）は底面図、（ｄ）は左側面図、（ｅ）は右側面図である。
【図３】第２実施形態にかかるケーブルサポートの斜視図である。
【考案を実施するための形態】
【００１３】
以下に添付図面を参照して本考案の実施の形態を詳細に説明するが、まず、図１及び図２を参照して第１実施の形態について説明する。
本実施の形態にかかるケーブルサポート１は、帯状の金属板３を螺旋状に略一周分折曲げて略四角筒形状に形成してあり、四角筒内の空間Ｔにケーブル６を配置して、締結部材８でケーブル６を金属板３に固定している。ケーブル６は電線ケーブルである。
金属板３は、鋼製（ＳＳ４００）であり、表面には飽和ポリエステル樹脂粉末塗装が施されている。図２（ｅ）に示す金属板３の幅Ｊは、約５０ｍｍである。
【００１４】
ケーブルサポート１は、略四角筒の一側面を成す基部５と、基部５に対向する対向部７と、基部５の一端側で対向部７に連続する一端側部９と、基部５の他端側で対向部７側に突出してする一方の突出部１１と、対向部７の他端側で基部５側に突出する他方の突出部１３とを備えている。
図２（ｂ）に示すように、基部５は平面視平行四辺形を成しており、図２（ａ）に示す長手方向（周方向）の寸法Ｋが約２００ｍｍであり、一端側部９の長手方向の寸法Ｌが約９０ｍｍである。基部５には、その長手方向の中央位置に固定具１５を挿通する挿通孔１７が形成されている。
【００１５】
対向部７は、基部５と平行に設けてあるが、図２（ｂ）（ｃ）に示すように平面視平行四辺形を成しており、平面視で基部５に対してずれた位置にある。
対向部７にはその長手方向に長孔１９が形成されている。図２（ｃ）に示す長孔の寸法Ｑは、約１５０ｍｍであり、幅は約８ｍｍである。長孔１９は対向部７の一方の縁７ａ側に寄った位置に設けてあり、一方の縁７ａとの間の寸法Ｓは約１１ｍｍである。
図２（ｄ）（ｅ）に示すように、一端側部９は平行四辺形を成しており、基部５及び対向部７と位置をずらしている。
【００１６】
図２（ｅ）に示すように、一方の突出部１１は、基部５から対向部７側に斜めに突出してあり、突出寸法Ｍは約９０ｍｍである。
他方の突出部１３は、対向部７から基部５側に斜めに突出してあり、突出寸法Ｎは約５５ｍｍである。一方の突出部１１の先端１１ａは、他方の突出部１３の先端１３ａよりも対向部７側に位置している。
一方の突出部１１及び他方の突出部１３は、間隔Ｐをあけて隣り合って位置していると共に略平行に突出してあり、各々先端１１ａ、１３ａを円弧状に形成している。間隔Ｐは約３８〜４０ｍｍである。ここでこの間隔Ｐは、当該ケーブルサポート１で設置が予測される最大径のケーブルの径より十分に大きな間隔に設定され、これによりこの最大径のケーブルを突出部１１及び突出部１３の隙間Ｐより四角筒内の空間Ｔに容易に配置できるように構成される。
【００１７】
次に、ケーブルサポート１の設置及びケーブルの固定について説明する。
図１に示すように、ケーブルサポート１の基部５を天面壁２２に当てて、基部５の挿通孔１７に固定具１５で固定する。固定具１５はアンカー又はボルトである。
一方の突出部１１と他方の突出部１３との間の間隔Ｐからケーブル６を四角筒内の空間Ｔに挿入する。ケーブル６の本数は任意であるが、この実施の形態では２本のケーブル６を挿入している。
そして、各ケーブル６は各々締結部材８を長孔１９に挿通して対向部７に結び付けて固定する。締結部材８は、例えば結束用のバンド、針金入りのテープ、紐、粘着テープ等である。
【００１８】
本実施の形態にかかるケーブルサポート１によれば、帯状の金属板３を螺旋状に略四周分折り曲げて形成してあるので、製造が容易であり、堅牢で且つ構成が簡易である。
一方の突出部１１と他方の突出部１３は間隔Ｐをあけて隣り合って位置しているので、一方の突出部１１と他方の突出部１３の間隔Ｐから四角筒内の空間Ｔへケーブル６を容易に挿入できる。
一方の突出部１１の先端１１ａが他方の突出部１３の先端１３ａよりも対向部７側に位置しているので、四角筒の空間Ｔ内に挿入したケーブル６が脱落し難い。
【００１９】
四角筒の空間Ｔ内に挿入したケーブル６は締結部材８を長孔１９に挿通して金属板３に固定するので、ケーブル６が四角筒の空間Ｔ内で振れたり、揺動するのを防止できる。
締結部材８を挿通する孔を長孔１９としているので、長孔１９の任意の位置でケーブル６を締結できるから、作業性が良い。またこれらにより種々の径のケーブル、種々の本数のケーブルの設置に柔軟に対応することができ、またさらにケーブルの増設、交換等にも柔軟に対応することができる。
【００２０】
固定具１５の挿通孔１７が形成してある基部５を上側にして天面壁２２に取付けることにより、下側となる対向部７にケーブル６を載置した状態でケーブル６を締結部材８で締結できるから、作業性を向上することができる。
【００２１】
以下に本考案の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図３に本考案の第２実施の形態を示す。この第２実施の形態では、長孔１９は一端側部９に形成してある。
この第２実施の形態では、基部５は側面壁２４に固定具１５で固定してあり、一端側部９は壁面壁２４から略垂直に突出して位置しており、一端側部９にケーブル６を載置して、締結部材８で一端側部９に固定している。
【００２２】
この第２実施の形態によれば、上述した第１実施の形態と同様の作用効果を奏すると共に固定具１５の挿通孔１７が形成してある基部５を側面壁２４に取付け、上側となる一方の突出部１１と他方の突出部１３側からケーブル６を空間Ｔ内に挿入し、下側となる一端側部９にケーブル６を載置した状態で、一端側部９にケーブル６を締結部材８で締結できるから、作業性を向上することができる。
【００２３】
本考案は、上述した実施の形態に限らず、本考案の要旨を逸脱しない範囲で種々変形可能である。
具体的に、長孔の延長方向への例えばケーブルの位置ずれを防止する構成を設けるようにしてもよい。なお位置ずれの防止機構にあっては、例えば長孔の長手方向、内側端面を波型に作成する等により、この長孔の構成を有効に利用することが考えられる。
また、上述した実施の形態において、長孔１９は対向部７と一端側部９との両方に形成しても良い。
固定具１５の挿通孔１７は、基部５に複数形成しても良い。また、固定具１５の挿通孔１７は、基部５に限らず、対向部７や一端側部９のいずれかに形成して、他のいずれかに長孔１９を形成しても良い。
【符号の説明】
【００２４】
１    ケーブルサポート
３    金属板
５    基部
６    ケーブル
７    対向部
８    締結部材
９    一端側部
１１  一方の突出部
１３  他方の突出部
１５  固定具
１７  挿通孔
１９  長孔
Ｐ    間隔
Ｔ    収納空間
【図１】
0003188054.tif 000003
【図２】
0003188054.tif 000004
【図３】
0003188054.tif 000005